(57)【要約】      （修正有）【課題】特定キーワードによる広告情報をデータベース化した後、特定キーワードに対する広告情報要請信号が入力されることにより、広告主が容易に広告情報を確認することができる広告現況提供方法を提供する。【解決手段】インターネットを介して連結されている検索サイトサーバ１１０と、サービスサーバ１５０及び広告主端末機１３０を含めてなされるシステムは、サービスサーバ１５０が、データベース１１２に保存されているキーワードに関連した広告情報を収集又は要請する情報収集段階と、データベース１６０にキーワード別に貯蔵する資料データベース化の段階と、広告主端末機１３０から受信した特定キーワードを利用し、キーワード別に貯蔵されている広告情報を検索及び照合して広告主端末機１３０に伝送する資料提供段階と実行する。これにより、広告主は、容易に特定キーワードによる広告情報確認することができる。【選択図】図２
2008140365.tif 000002
【特許請求の範囲】
【請求項１】
インターネットを介して連結されている検索サイトサーバと、サービスサーバと、広告主端末機とから成るシステムを用いた広告現況提供方法において、
(Ａ)前記サービスサーバが、入力されたキーワードを前記検索サイトサーバに伝送し、前記検索サイトサーバのデータベースに保存されているキーワードに関連した広告情報を収集又は要請する資料収集段階と、
(Ｂ)前記サービスサーバが、前記(Ａ)段階で収集又は要請した広告情報を前記サービスサーバのデータベースにキーワード別に貯蔵する資料データベース化の段階と、
(Ｃ)前記サービスサーバは、前記広告主端末機から特定キーワードによる広告情報要請信号を受信すると、該特定キーワードを利用して前記(Ｂ)段階でキーワード別に貯蔵されている広告情報を検索及び照合して前記広告主端末機に伝送する資料提供段階とを含むことを特徴とするキーワードを用いた広告現況提供方法。
【請求項２】
前記(Ａ)段階は、前記サービスサーバが前記検索サイトサーバに対してＡＰＩ接続権限を持つ場合、前記検索サイトサーバのデータベースに直接接続し、広告情報を収集又は要請し、前記サービスサーバが前記検索サイトサーバに対してＡＰＩ接続権限を持っていない場合、前記検索サイトサーバのサイト画面に形成されるキーワード入力窓にキーワードを入力し、結果画面を受信し、広告情報を収集することを特徴とする請求項１に記載のキーワードを用いた広告現況提供方法。
【請求項３】
前記(Ｂ)段階は、検索サイトを表す検索サイト識別コード、キーワードを表すキーワード識別コード、広告形態を表す広告形態識別コード、広告時間を表す広告時間識別コード、広告に対するクリック数を表すクリック数識別コード、又は前記広告形態がＣＰＣ広告である場合にＣＰＣ価格を含む情報を表すＣＰＣ情報識別コードのうちの何れか一つ以上の識別コードを包含する広告情報をキーワード別にデータベース化することを特徴とする請求項１に記載のキーワードを用いた広告現況提供方法。
【請求項４】
インターネットを介して連結されている検索サイトサーバと、サービスサーバと、広告主端末機とから成るシステムを用いた広告代行方法において、
(Ａ)前記サービスサーバが前記検索サイトサーバに接続し、ＡＰＩを介して検索サイトサーバのデータベースに接続権限を取得するアカウント取得段階と、
(Ｂ)前記サービスサーバが前記検索サイトサーバに接続し、前記検索サイトサーバのサイト画面に形成されるキーワード入力窓に特定キーワードが入力されると、前記入力された特定キーワードを利用して特定キーワードに関連した結果画面を受信し、資料を収集する資料収集段階と、
(Ｃ)前記サービスサーバにより前記(Ｂ)段階で収集された資料をサービスサーバのデータベースに特定キーワード別に貯蔵する資料データベース化の段階と、
(Ｄ)前記サービスサーバは、前記広告主端末機から特定キーワードによる広告情報要請信号を受信すると、受信された特定キーワードを利用して前記(Ｃ)段階で特定キーワード別に貯蔵されている広告情報を検索及び照合して前記広告主端末機に伝送する資料提供段階と、
(Ｅ)前記広告主端末機が前記検索サイトサーバに特定キーワードにより表示する広告登録を要請すると、前記サービスサーバは、特定キーワードによる広告登録を前記検索サイトサーバに接続して登録を行う広告登録段階と、
(Ｆ)前記広告主端末機から広告効果要請情報が入力されると、前記サービスサーバは、広告効果結果を前記広告主端末機に伝送する管理段階とを含むことを特徴とするキーワードを用いた広告代行方法。
【請求項５】
前記(Ｂ)段階は、
(Ｂ-１)前記広告主端末機が、登録する特定キーワードを入力し、検索サイトサーバを指定する段階及び、
(Ｂ-２)前記サービスサーバが、前記検索サイトサーバに特定キーワードを伝送し、前記検索サイトサーバから広告用キーワード関連広告情報を受信して貯蔵する段階を含めることを特徴とする請求項４に記載のキーワードを用いた広告代行方法。
【請求項６】
前記(Ｂ-２)段階は、
(Ｂ-３)前記(Ｂ-２)段階を行ってから、前記サービスサーバが前記(Ｂ-１)段階で入力した広告用キーワードの類似キーワードを検索する場合、前記(Ｂ-１)段階に戻り、類似キーワードを検索しない場合には終了する段階をさらに含むことを特徴とする請求項５に記載のキーワードを用いた広告代行方法。
【請求項７】
前記(Ｃ)段階は、
検索サイトを表す検索サイト識別コード、キーワードを表すキーワード識別コード、広告されるサイトを表すサイト名識別コード、広告される広報文を表す広報文識別コード、前記検索サイト側データベースに接続するためのデータを表すＡＰＩ接続コード、前記キーワードに関連した意味を持つ類似キーワードを表す類似キーワード連結コード及び前記キーワード又は類似キーワードで前記検索サイトサーバに広告中の広告等の広告現況を表す広告現況識別コードのうちの何れか一つ以上を含めてデータベース化することを特徴とする請求項４に記載のキーワードを用いた広告代行方法。
【請求項８】
前記(Ｄ)段階は、
(Ｄ-１)前記サービスサーバが、前記広告主端末機が要請した結果画面の有無を調査する段階及び、
(Ｄ-２)前記広告主端末機が要請した結果画面がある場合、サービスサーバから検索及び抽出した結果画面を広告主端末機に伝送する段階を含むことを特徴とする請求項４に記載のキーワードを用いた広告代行方法。
【請求項９】
前記(Ｄ-１)段階は、
(Ｄ-１１)前記広告主端末機が要請した結果画面がない場合、サービスサーバが、前記広告主端末機の要請した結果画面を構成したのちに、前記(Ｄ-２)段階に移動する段階をさらに含むことを特徴とする請求項８に記載のキーワードを用いた広告代行方法。
【請求項１０】
前記(Ｄ-２)段階は、
(Ｄ-３)前記広告主端末機から追加資料要請があるか否かを調査する段階と、
(Ｄ-４)追加資料要請がある場合、サービスサーバに、要請された追加資料が貯蔵されているか否かを調査する段階と、
(Ｄ-５)要請された追加資料が貯蔵されている場合、サービスサーバから貯蔵されている追加資料を抽出して結果画面を構成し、次いで広告主端末機に伝送する段階とをさらに含むことを特徴とする請求項８に記載のキーワードを用いた広告代行方法。
【請求項１１】
前記(Ｄ-４)段階は、
(Ｄ-４１)要請された追加資料が貯蔵されていない場合、検索サイトサーバに接続し、要請資料を収集し、次いで前記(Ｄ-５)段階に移動する段階をさらに含むことを特徴とする請求項１０に記載のキーワードを用いた広告代行方法。
【請求項１２】
前記(Ｅ)段階は、
(Ｅ-１)前記広告主端末機から広告登録要請があるか否かを調査する段階と、
(Ｅ-２)前記広告主端末機から広告に使用する費用、広告が表示される順位の指定を受信する段階と、
(Ｅ-３)前記(Ｅ-２)段階で設定された広告順位が維持されるか否かを調査する段階と、
(Ｅ-４)前記(Ｅ-３)段階で広告順位が維持されていない場合、広告主端末機に広告順位の変動を通知する段階と、
(Ｅ-５)広告主端末機から広告順位の維持要請がある場合、前記(Ｅ-２)段階に戻る段階とを含むことを特徴とする請求項４に記載のキーワードを用いた広告代行方法。
【請求項１３】
前記(Ｅ-２)段階は、
前記サービスサーバが、前記広告主端末機に、登録可能な全ての検索サイトの選択ボタン、登録可能な全てのキーワードの選択ボタン、登録する広報文の修正及び入力窓、広告順位選択ボタン、一回に使用される広告金額の最大金額設定窓、時間帯別広告露出順位設定ボタン、又は所定期間に使用する広告費用の最大金額設定窓を伝送し、前記広告主端末機から選択又は入力値を受信することを特徴とする請求項１２に記載のキーワードを用いた広告代行方法。
【請求項１４】
前記(Ｆ)段階は、
(Ｆ-１)前記広告主端末機から広告効果提供の要請があるか否かを調査する段階と、
(Ｆ-２)広告効果提供要請がある場合、前記広告主端末機に広告効果資料を提供する段階とを含むことを特徴とする請求項４に記載のキーワードを用いた広告代行方法。
【請求項１５】
インターネットを介して連結されている検索サイトサーバと、サービスサーバと、広告主端末機とから成るシステムにおいて、
広告主により管理され、広告主から特定キーワードが入力されると前記サービスサーバに特定キーワードを伝送し、特定キーワードに関連した情報を受信して表示し、前記サービスサーバに特定キーワードに関する広告登録代行を要請する広告主端末機と、
特定位置にキーワードを入力し得るためのキーワード入力窓が形成されるウェブサイト画面をインターネットを介してアップデートし、前記キーワード入力窓に入力された特定キーワードに対する文書及びサイト情報の他に、前記特定キーワードに関連した広告主の情報(広告主名、ホームページアドレス、広告広報文、連絡先及び広告用イメージ情報を包含する)と、前記サイト画面に表示される広告の広告費用、広告露出時間帯及び位置情報をデータベースから検索及び抽出して表示し、前記サービスサーバに伝送する検索サイトサーバ及び、
前記検索サイトサーバに特定キーワードを伝送し、特定キーワードに関連した情報を収集又は要請し、前記検索サイトサーバから検索サイトサーバのキーワード入力窓に入力された特定キーワードに関連した情報を受信してデータベースを構築し、前記広告主端末機の要請に応じてデータベースを検索及び照合して特定キーワードに関連した広告情報又は広告登録代行結果画面を構成し、前記広告主端末機に伝送し、且つ、前記検索サイトサーバに接続し、広告を登録代行するサービスサーバを含めることを特徴とするキーワードを用いた広告代行システム。
【請求項１６】
前記サービスサーバのデータベースは、検索サイトを表す検索サイト識別コード、キーワードを表すキーワード識別コード、広告されるサイトを表すサイト名識別コード、広告される広報文を表す広報文識別コード、前記検索サイト側データベースに接続するためのデータを表すＡＰＩ接続コード、前記キーワードに関連した意味を持つ類似キーワードを表す類似キーワード連結コード及び前記キーワード又は類似キーワードで前記検索サイトサーバに広告中の広告等の広告現況を表す広告現況識別コードのうちの何れか一つ以上を含むように構成されることを特徴とする請求項１５に記載のキーワードを用いた広告代行システム。
【発明の詳細な説明】
【技術分野】
【０００１】
本発明は、キーワードを用いた広告現況提供方法、広告代行方法及び広告代行システムに関する。
【０００２】
さらに詳しくは、特定キーワードによる広告情報をデータベース化した後、特定キーワードに対する広告情報要請信号が入力されると、当該広告情報を検索及び照合して広告主が容易に確認することが可能となるように提供し、様々な検索サイトのキーワード入力窓を介して入力されたキーワードに基づいて提供される広告の位置、費用などを容易に設定することができ、持続的な広告状態を保持することができるキーワードを用いた広告現況提供方法、広告代行方法及び広告代行システムに関する。
【背景技術】
【０００３】
通信技術の発達により様々な情報がインターネット網で代表されるネットワークを介して確認し得るようになっており、こうした情報を確認するためには使用者が直接ＵＲＬアドレスを入力したり、検索サイトを提供する検索サイトサーバに接続することによって確認することができる。前記検索サイトサーバは、キーワード入力窓にユーザーの知りたい情報に関するキーワードを入力するだけで様々なサイト接近が可能となることから、幅広く用いられている。
【０００４】
一方、使用者が検索サイトサーバを介して入力するキーワードは、製品又はサービス購買のためのものが多いため、広告主は、検索サイトの結果画面に広告主のホームページ又は連絡先が表示されることを所望する場合が多く、検索サイトは所定の広告費を受け付け、次いで広告契約を介して結果画面に広告主のホームページ又は連絡先を表示することになる。
【０００５】
このような検索サイトに表示される広告は、広告費の支出方法によってＣＰＣ(Ｃｏｓｔ  Ｐｅｒ  Ｃｌｉｃｋ：ユーザーがキーワードを入力した後、該結果画面から広告主サイトへのクリックにより移動した場合、広告費用を支払うこと)広告、ＣＰＭ(Ｃｏｓｔ  Ｐｅｒ  Ｍｉｌｌｅ：使用者が入力するキーワードにより広告費用を支払うこと)広告などが使用される。ここで、ＣＰＣ広告は、使用者が表示された広告を見てクリックを行った場合にのみ広告費用を支払うから、広告効率が高く、課金方式が合理的であることから、広告主にとって非常に好まれる広告方法である。
【０００６】
一方、検索サイトに表示される広告個数は限られているから、多くの広告主は、検索サイトの検索結果、初画面に広告が表示されるのを希望する。ここで、初画面に表示される広告は、検索サイトごとに方式の差異はあるものの、最も高価な広告費を提示した広告主の広告が表示されることが一般的であって、さらにＣＣＩのような活動点数(例えば、クリック率、広告執行期間、ホームページの充実度など)を考慮したうえで順位が定められる。
【０００７】
一方、前述したようにＣＰＣ広告の広告表示順位は、リアルタイム入札、活動点数により変動され、このうちに広告の競売落札が重要な順位決定要因となる場合が多いから、広告主は随時に広告権売買状況に注目しなければならない。
【０００８】
一方、広告主は、コンピュータなどのような広告主端末機を介してインターネットに接続した後、複数の検索サイトサーバからインターネットにアップロードした検索サイトにキーワードを入力し、結果画面を受信する。広告主は、一つの検索サイトから受信した結果画面で広告可否を選択し、入札可能時間などを記録した後に、また他の検索サイトで同様な段階を繰り返す。こうした過程は、検索サイトの個数ほど繰り返されるはずである。
【０００９】
また、広告主が様々な検索サイトサーバにおいて複数のキーワードを登録し、広告を行う場合、広告中のキーワードを誤りなどにより落としてしまった場合、広告キーワードを効率よく管理することができないばかりか、不必要なキーワードに対する広告費用を続けて支払うことになるから、広告コスト対比効率が劣るという問題があった。
【００１０】
以下では、添付図面１に基づいて従来技術による広告登録システムを説明する。図１は、従来技術による広告登録システムの構成図である。
広告主は、コンピュータなどのような広告主端末機４０を介してインターネット３０に接続した後、複数の検索サイトサーバ２０からインターネット３０にアップロードした検索サイトにキーワードを入力し、結果画面を受信する。広告主は、一つの検索サイトから受信した結果画面で広告可否を選択し、入札可能時間などを記録した後、他の検索サイトで同一処理を繰り返す。こうした過程は、検索サイトの個数に応じて繰り返されるはずである。
【００１１】
一方、広告主が特定キーワードでない、関連キーワードに対する広告を行いたい場合には、検索サイトに関連キーワードまで入力し、結果を受信しなければならないことから、作業量が極めて多くなり、効率的な広告登録が行われにくいといった問題があった。
【発明の開示】
【発明が解決しようとする課題】
【００１２】
本発明は、かかる従来技術の問題点等に鑑みてなされたものであり、特定キーワードによる広告情報をデータベース化した後、特定キーワードに対する広告情報要請信号が入力されると、当該広告情報を検索及び照合して広告主が容易に確認することができるように広告現況提供方法を提供することを目的とする。
【００１３】
また、特定キーワードに対する広告情報を検索しかつ確認したのちに、広告主の要請信号が入力されると、特定キーワード又は特定キーワードに関連した類似キーワードを利用して広告位置、費用などを簡単に設定し、持続的な広告状態を保持することができるように広告登録代行を容易に行う広告代行方法及びシステムを提供することを目的とする。
【課題を解決するための手段】
【００１４】
前述した目的を達成するために、インターネットを介して連結されている検索サイトサーバと、サービスサーバと、広告主端末機とから成るシステムを用いた広告現況提供方法において、(Ａ)前記サービスサーバが、入力されたキーワードを前記検索サイトサーバに伝送し、前記検索サイトサーバのデータベースに保存されているキーワードに関連した広告情報を収集又は要請する情報収集段階と、(Ｂ)前記サービスサーバが、前記(Ａ)段階で収集又は要請された広告情報を前記サービスサーバのデータベースにキーワード別に貯蔵する資料データベース化の段階と、(Ｃ) 前記サービスサーバは、前記広告主端末機から特定キーワードによる広告情報要請信号を受信すると、受信された特定キーワードを利用し、前記(Ｂ)段階でキーワード別に貯蔵されている広告情報を検索及び照合して前記広告主端末機に伝送する資料提供段階とを含むことを特徴とする広告現況提供方法を提供する。
【００１５】
また、インターネットを介して連結されている検索サイトサーバと、サービスサーバと、広告主端末機とから成るシステムを用いた広告代行方法において、(Ａ)前記サービスサーバが前記検索サイトサーバに接続し、ＡＰＩを介して検索サイトサーバのデータベースに接続権限を取得するアカウント取得段階と、(Ｂ)前記サービスサーバが前記検索サイトサーバに接続し、前記検索サイトサーバのサイト画面に形成されるキーワード入力窓にキーワードが入力されると、前記入力された特定キーワードを利用してキーワードに関連した結果画面を受信し、資料を収集する資料収集段階と、(Ｃ)前記サービスサーバにより前記(Ｂ)段階で収集された資料を、サービスサーバのデータベースにキーワード別に貯蔵する資料データベース化の段階と、(Ｄ)前記サービスサーバは、前記広告主端末機から特定キーワードによる広告情報要請信号を受信すると、受信された特定キーワードを利用して前記(Ｃ)段階でキーワード別に貯蔵されている広告情報を検索及び照合して前記広告主端末機に伝送する資料提供段階と、(Ｅ)前記広告主端末機が前記検索サイトサーバに特定キーワードによる表示する広告登録を要請すると、前記サービスサーバは、特定キーワードによる広告登録を前記検索サイトサーバに接続して登録を行う広告登録段階と、(Ｆ)前記広告主端末機から広告効果要請情報が入力されると、前記サービスサーバは、広告効果結果を前記広告主端末機に伝送する管理段階とを含めることを特徴とする広告代行方法を提供する。
【００１６】
さらに、インターネットを介して連結されている検索サイトサーバと、サービスサーバと、広告主端末機とから成るシステムにおいて、広告主により管理され、広告主から特定キーワードが入力されると、前記サービスサーバに特定キーワードを伝送し、特定キーワードに関連した情報を受信して表示し、前記サービスサーバに特定キーワードに関する広告登録代行を要請する広告主端末機と、特定位置にキーワードを入力し得るためのキーワード入力窓が形成されているウェブサイト画面をインターネットを介してアップデートし、前記キーワード入力窓に入力された特定キーワードに対する文書及びサイト情報の他に、前記特定キーワードに関連した広告主の情報(広告主名、ホームページアドレス、広告広報文、連絡先及び広告用イメージ情報を包含する)と、前記サイト画面に表示される広告の広告費用、広告露出時間帯及び位置情報をデータベースから検索及び抽出して表示し、前記サービスサーバに伝送する検索サイトサーバ、及び前記検索サイトサーバに特定キーワードを伝送し、特定キーワードに関連した情報を収集又は要請し、前記検索サイトサーバから検索サイトサーバのキーワード入力窓に入力された特定キーワードに関連した情報を受信してデータベースを構築し、前記広告主端末機の要請によってデータベースを検索及び照合して特定キーワードに関連した広告情報又は広告登録代行結果画面を構成し、前記広告主端末機に伝送し、前記検索サイトサーバに接続し、広告を登録代行するサービスサーバを含めることを特徴とする広告代行システムを提供することによって達成される。
【発明の効果】
【００１７】
以上で詳述したように、本発明によれば、広告主(又は競争社)の全ての検索サイトに対する全てのキーワードの広告現況を、広告主の要請に応じて編集された画面に提供することができるから、広告主が容易に広告管理を行うことができる。また、広告主が複数の検索サイトに複数のキーワードを使用する広告を容易に登録代行することができ、且つ、広告主に、設定済みの広告内容が変更された場合、即時に通知し得ることから、広告主が速やかに対応することが可能となる。
【発明を実施するための最良の形態】
【００１８】
以下、添付図面に基づいて本発明の望ましい一実施例による広告現況提供方法、広告代行方法及び広告代行システムについてさらに詳しく説明する。
【００１９】
以下で本発明を説明するにあたり、関連公知機能又は構成に対する具体的な説明が本発明の要旨と異なる虞があると判断される場合にはその詳しい説明を略す。また、後述する用語等は本発明における機能を考慮したうえで定められたものであって、この用語等は製品を生産する生産者の意図又は慣例によって異なると共に、用語の定義は本明細書全般に亘った内容に基づいてなされるべきである。
【００２０】
図２は、本発明の望ましい一実施例による広告代行システムの構成図である。図３は、本発明の一実施例によるサービスサーバのデータベース構成を示す細部ブロック図である。図２及び図３を参照として本発明の望ましい一実施例による広告代行システムをさらに具体的に述べる。図示の如く、本実施例による広告代行システム１００は、インターネット１２０を通じて相互連結された検索サイトサーバ１１０、サービスサーバ１５０及び広告主端末機１３０などを含めて構成される。
【００２１】
広告主端末機１３０とは、多様なコンテンツを提供する広告主が管理する端末機であって、通信機能を有するコンピュータ、ＰＤＡ、携帯端末機などが含められ、且つ、広告主端末機１３０に特定キーワードを入力することによって、現在広告中のサイトでの広告現況情報をサービスサーバ１５０から受信し、広告主にディスプレイすることになる。また、広告主から特定キーワードが入力されると、サービスサーバ１５０に特定キーワード伝送し、特定キーワードに関連した情報を受信されて表示し、前記広告主の要請に応じてサービスサーバ１５０に特定キーワードに関する広告登録代行を要請する機能を奏する。
【００２２】
検索サイトサーバ１１０は、インターネットを介して検索サービスを提供するサーバであって、特定位置にキーワードを入力し得るためのキーワード入力窓が形成されたサイト画面をインターネット１２０を介してアップデートし、サービスサーバ１５０の広告情報収集又は要請によってキーワード入力窓に入力された特定キーワードに対する文書及びサイト情報の他に特定キーワードに関連した広告主の情報(広告主名、ホームページアドレス、広告広報文、連絡先及び広告用イメージ情報を含む)と、サイト画面に表示される広告に対する広告費用、期間及び位置情報を検索サイトサーバ１１０のデータベース１１２から検索及び照合してサービスサーバ１５０に伝送することになるが、検索サイトサーバ１１０のデータベース１１２は、検索サイトサーバ１１０に連結されており、検索サイトサーバ１１０に表示する特定キーワードに関連した広告主の情報、広告費用、広告露出時間帯及び位置情報を貯蔵することになる。
【００２３】
特に、検索サイトサーバ１１０のデータベース１１２は、広告に関連した重要な情報を貯蔵しているから、保安のために検索サイトサーバ１１０を管理する管理者又は検索サイトサーバ１１０と所定の契約を交わしたサービスサーバ１５０を管理する管理者によってのみデータベース１１２の内容の読取り或いは書込みを行えるようにすることが好ましい。
【００２４】
サービスサーバ１５０は、検索サイトサーバ１１０とインターネットを介して連結されており、検索サイトサーバ１１０を通じて特定キーワードに関する広告情報を収集しかつ提供し、特定キーワードに対する広告登録代行を行うサーバであって、検索サイトサーバ１１０に特定キーワードを伝送し、特定キーワードに関連した情報を収集又は要請し、且つ、検索サイトサーバ１１０から検索サイトサーバ１１０のキーワード入力窓に入力された特定キーワードに関連した情報を受信してデータベース１６０を構築し、前記広告主の要請に応じてデータベースを検索及び照合し、特定キーワードに関連した広告情報又は広告登録代行結果画面を構成し、次いで広告主端末機１３０に伝送し、検索サイトサーバ１１０に接続し、広告を登録代行する機能を奏する。
【００２５】
特に、サービスサーバ１５０は、検索サイトサーバ１１０のデータベース１１２に接続可能なＡＰＩ(Ａｐｐｌｉｃａｔｉｏｎ  ＰｒｏｇｒａｍｍｉｎｇＩｎｔｅｒｆａｃｅ)権限を持つ場合、検索サイトサーバ１１０のデータベース１１２に直接接続し、広告情報を収集又は要請する。また、ＡＰＩ接続権限を持っていない場合、検索サイトサーバ１１０のサイト画面に形成されたキーワード入力窓にキーワードを入力し、結果画面を受信し、広告情報を収集又は要請することを特徴とする。
【００２６】
サービスサーバ１５０のデータベース１６０は、特定キーワードに関する広告現況を提供すべく、図３Ａに示されたように、検索サイトを表す検索サイト識別コード１６１、キーワードを表すキーワード識別コード１６２、広告形態を表す広告形態識別コード１６３、広告時間を表す広告時間識別コード１６４、広告に対するクリック数を表すクリック数識別コード１６５及び広告形態がＣＰＣ広告である場合、ＣＰＣ価格を含む情報を表すＣＰＣ情報識別コード１６６のうちの何れか一つ以上を含めて構成することが好ましい。
【００２７】
また、特定キーワードに関する広告登録代行を提供すべく、サービスサーバ１５０のデータベース１７０は、図３Ｂに示されたように、検索サイトを表す検索サイト識別コード１７１、キーワードを表すキーワード識別コード１７２、広告されるサイトを表すサイト名識別コード１７４、広告される広報文を表す広報文識別コード１７５、前記検索サイト側データベースに接続するためのデータを表すＡＰＩ(Ａｐｐｌｉｃａｔｉｏｎ  Ｐｒｏｇｒａｍｍｉｎｇ  Ｉｎｔｅｒｆａｃｅ)接続コード１７７、前記キーワードに関連した意味を持つ類似キーワードを表す類似キーワード連結コード１７３及び前記キーワード又は前記キーワード又は類似キーワードで検索サイトサーバ１１０に広告中の広告等の広告現況を表す広告現況識別コード１７６のうちの何れか一つ以上を含めて構成することが好ましい。
【００２８】
以下、図面に基づいて本発明の望ましい一実施例による広告現況提供方法と広告代行方法についてさらに詳しく説明する。図４は、本発明の他の望ましい一実施例による広告現況提供及び広告代行方法を示すフローチャートである。図５は、図４における資料収集段階の細部流れ図である。図６は、図４における資料提供段階の細部流れ図である。図７は、図４における広告登録段階の細部流れ図である。図８は、図４における管理段階の細部流れ図である。
【００２９】
図４に示されたように、本実施例による広告現況提供方法と広告代行方法は、前述したインターネットを介して相互に連結されている検索サイトサーバ１１０、サービスサーバ１５０及び広告主端末機１３０を含める広告代行システムを介してサービス提供が可能となる。大別してアカウント取得段階Ｓ１００、資料収集段階Ｓ２００、資料ＤＢ化段階Ｓ３００、資料提供段階Ｓ４００、広告登録段階Ｓ５００及び管理段階Ｓ６００から分けられており、広告代行システム１００は、当業者により容易に様々な形態に構成し得ることは自明である。
【００３０】
アカウント取得段階Ｓ１００は、サービスサーバ１５０が検索サイトサーバ１１０に接続し、ＡＰＩを通じた検索サイトサーバ１１０のＤＢ接続権限を取得する段階である。当業者に知られた通りに、検索サイトサーバ１１０は、個別サーバごとに固有な方式を介して検索サイトサーバのＤＢを構成することになり、このような検索サイトサーバ１１０のＤＢを効率よく管理するためにＡＰＩを使用するわけである。このようなＡＰＩは、ＤＢの判読及び修正が可能であり、検索サイトサーバ１１０のＤＢには重要な資料が多く貯蔵されていることから、不特定多数の接近を防止すると共に、所定の権限を持つ管理者のみＡＰＩを使用することによってＤＢを管理することが好ましい。
【００３１】
したがって、本発明の実施例の通りに、アカウント取得段階Ｓ１００を行うことによって、サービスサーバ１５０から検索サイトサーバ１１０のＤＢ接続権限を受ける必要がある。
【００３２】
資料収集段階Ｓ２００は、サービスサーバ１５０が、検索サイトサーバ１１０に接続し、キーワードに対する広告情報を収集する段階であって、サービスサーバ１５０が特定キーワードに対する広告情報要請信号を検索サイトサーバ１１０に伝送すると、検索サイトサーバ１１０は当該特定キーワードに広告情報を検索サイトサーバ１１０のデータベース１１２から検索し、サービスサーバ１５０に伝送することになり、次いでサービスサーバ１５０は受信された広告情報を特定キーワード別にサービスサーバ１５０のデータベース１７０に貯蔵することになる。
【００３３】
特に、サービスサーバ１５０が検索サイトサーバ１１０に対してＡＰＩ接続権限を持っている場合には、検索サイトサーバ１１０のデータベース１１２に直接接続し、広告情報を収集することも可能であり、且つ、前記サービスサーバ１５０が検索サイトサーバ１１０に対してＡＰＩ接続権限を持っていない場合には、検索サイトサーバ１１０のサイト画面に形成のキーワード入力窓にキーワードを入力し、結果画面を受信することによって、広告情報を収集することになる。
【００３４】
資料収集段階Ｓ２００は、サービスサーバ１５０が検索サイトサーバ１１０に接続し、検索サイトサーバ１１０のサイト画面に形成のキーワード入力窓にキーワード入力し、結果画面を受信し、資料を収集するルーチンである。
【００３５】
図５に基づいて資料収集段階Ｓ２００についてさらに詳しく説明すると、広告主端末機１３０がサービスサーバ１５０に接続し、広告現況又は広告登録する特定キーワードを入力し、検索サイトを指定するようになる(Ｓ２１０)。
【００３６】
サービスサーバ１５０は、検索サイトサーバ１１０により提供される検索サイトに接続し、前記特定キーワードをキーワード入力窓に入力することで特定キーワード関連広告情報を要請することになり、次いで検索サイトサーバ１１０は、データベース１１２から前記特定キーワードに関連した広告情報を検索及び抽出し、サービスサーバ１５０に伝送することになり、サービスサーバ１５０は、受信された広告情報を貯蔵する(Ｓ２２０)。
【００３７】
もし、サービスサーバ１５０が、入力した特定キーワードの類似キーワードを検索するか否かを判別し、類似キーワードを検索する場合、Ｓ２１０段階から再スタートすることになるが、類似キーワードを検索しない場合は、終了することになる(Ｓ２３０)。
【００３８】
資料ＤＢ化段階Ｓ３００は、サービスサーバが資料収集段階Ｓ２００から収集した広告情報をサービスサーバ１５０のデータベース１７０に特定キーワード別に貯蔵する段階である。
【００３９】
即ち、検索サイトサーバ１１０に収集又は要請した広告情報を受信し、サービスサーバ１５０のデータベース１７０に特定キーワード別に貯蔵するようになるが、この際、サービスサーバ１５０のデータベースは広告現況を提供すべく、検索サイトを表す検索サイト識別コード１６１、キーワードを表すキーワード識別コード１６２、広告形態を表す広告形態識別コード１６３、広告時間を表す広告時間識別コード１６４、広告に対するクリック数を表すクリック数識別コード１６５及び広告形態がＣＰＣ広告である場合、ＣＰＣ価格を包含した情報を表すＣＰＣ情報識別コード１６６のうちの何れか一つ以上を含めて構築するようになる。
【００４０】
また、広告登録代行を提供するために検索サイトを表す検索サイト識別コード１７１、キーワードを表すキーワード識別コード１７２、広告されるサイトを表すサイト名識別コード１７４、広告される広報文を表す広報文識別コード１７５、前記検索サイト側のデータベースに接続するためのデータを表すＡＰＩ(Ａｐｐｌｉｃａｔｉｏｎ  Ｐｒｏｇｒａｍｍｉｎｇ  Ｉｎｔｅｒｆａｃｅ)接続コード１７７、前記キーワードに関連した意味を持つ類似キーワードを表す類似キーワード連結コード１７３及び前記キーワード又は類似キーワードで検索サイトサーバ１１０に広告中の広告等に対する広告現況を表す広告現況識別コード１７６のうちの何れか一つ以上を含めて構築することになる。
【００４１】
資料提供段階Ｓ４００は、サービスサーバ１５０が広告主端末機の要請に応じて、資料ＤＢ化段階Ｓ３００で貯蔵した広告情報を照合しかつ提供する段階である。
【００４２】
即ち、広告主端末機１３０が現在広告中の広告サイトにおける特定キーワードに対する広告情報を確認したり、又は登録するために広告主が特定キーワードをサービスサーバ１５０に伝送し、次いでサービスサーバ１５０は、受信した特定キーワードに対する情報をサービスサーバ１５０のデータベース１７０から検索及び照合して広告主端末機１３０に伝送することになり、広告主端末機１３０はサービスサーバ１５０から受信した特定キーワードに関連した広告情報をディスプレイし、広告主が容易に確認することが可能となるように提供する。
【００４３】
この際、広告主は、自分の広告資料だけでなく、競争社の広告資料をも確認することができるから、広告主は競争社の広告資料を参照としながら広告主の広告優先順位を調整したり、又は、他のキーワードを通じた広告の登録も可能にする。
【００４４】
資料提供段階Ｓ４００から提供する画面は、例えば、広告主(又は、競争社)が特定の検索サイトサーバ１１０に広告中の全てのキーワードに対する資料画面、広告主(又は、競争社)が広告中の特定キーワードに対する検索サイトに対する資料画面、広告露出時間、露出広告に対する消費者のクリック数、ＣＰＣによる費用、広告順位、クリック数対比実際広告製品の販売(使用又は注文を含む)実績などが提供され得るが、こうした資料は全て資料ＤＢ化段階Ｓ３００でデータベース化となり、広告主の要請に応じて自由な編集が可能となる。
【００４５】
図６に基づいて資料提供段階Ｓ４００をさらに詳しく説明すると、サービスサーバ１５０がデータベース１７０を検索し、広告主端末機１３０が要請した特定キーワードに関連した結果画面があるか否かを調査する(Ｓ４１０)。
【００４６】
広告主端末機１３０の要請した結果画面がある場合、サービスサーバ１５０のデータベース１７０から検索及び抽出した結果画面を広告主端末機１３０に伝送する（Ｓ４２０）。
【００４７】
もし、広告主端末機１３０の要請した結果画面がない場合、サービスサーバ１５０が広告主端末機１３０の要請した結果画面を構成したのちに、結果画面を広告主端末機に伝送する(Ｓ４１５)。
【００４８】
サービスサーバ１５０は、広告主端末機１３０から追加資料要請があるか否かを判別することになり(Ｓ４３０)、追加資料要請がある場合、サービスサーバ１５０のデータベース１７０に要請された追加資料が貯蔵されているか否かを調査する(Ｓ４４０)。
【００４９】
もし、要請された追加資料が貯蔵されている場合、サービスサーバ１５０のデータベース１７０から貯蔵されている追加資料を検索及び抽出して結果画面を構成し、広告主端末機１３０に伝送する(Ｓ４５０)。
【００５０】
もし、要請された追加資料が貯蔵されていない場合、検索サイトサーバ１１０に接続し、要請された資料を収集し、該収集された資料を用いて結果画面を構成し、次いで広告主端末機１３０に伝送する(Ｓ４４５)。
【００５１】
広告登録段階Ｓ５００は、広告主端末機１３０がサービスサーバ１５０を介して検索サイトサーバ１１０に表示する広告の登録を要請し、サービスサーバ１５０が検索サイトサーバ１１０のデータベース１１２に接続して広告を代行登録する段階である。
【００５２】
図７に基づいて広告登録段階５００についてさらに詳しく述べると、資料提供段階Ｓ４００で広告主端末機を介して特定キーワードに関する結果画面を確認した広告主が広告主端末機１３０を介して広告登録要請を行うようになると、広告主端末機１３０は広告登録要請があるか否かを調査する(Ｓ５１０)。
【００５３】
広告登録要請がある場合、広告登録に応じる画面を広告主に提供し、広告主から広告に費やされる費用、広告が表示される順位の指定など広告登録設定情報を入力され、サービスサーバ１５０に伝送することになる(Ｓ５２０)。
【００５４】
この際、サービスサーバ１５０が広告主端末機１３０に登録可能な全ての検索サイトの選択ボタン、登録可能な全てのキーワードの選択ボタン、登録する広報文修正及び入力窓、広告順位選択ボタン、一回に使用される広告金額の最大金額設定窓、時間帯別広告露出順位設定ボタン及び所定期間に使用する広告費用の最大金額設定窓を伝送し、次いで広告主端末機１３０から選択または入力値を受信してなされることが望ましい。
【００５５】
即ち、例えば、サービスサーバ１５０は、ＡＰＩを介して検索サイトサーバ１１０のデータベース１１２に接続可能な検索サイトなどを全て表示することによって、広告主端末機が広告しようとする検索サイトを容易に選択するのに役立つ。また、登録可能な全てのキーワードを広告主端末機１３０に提供し、広告主端末機１３０が特定キーワードだけでなく、これに関連した類似キーワードに関連した広告を容易に選択するのにも役立つ。また、ＣＰＣ広告のように、一回のクリックに費やされる広告額の最高限度を設定することによって、広告主の広告予算を合理的に分配するのに役立つ。
【００５６】
また、時間帯別広告露出順位を設定し、広告主が広告する製品(品物やサービスを含む)が主に注文される時間帯にのみ広告を露出させることから、広告予算を合理的に配分するのに役立つ。さらに、所定期間の間に使用され得る総広告額の設定が可能となり、広告主が特定期間に使用する広告額の予算を効率よく運用するのに役立つ。
【００５７】
ここで、前述のような設定画面は、一つの画面に構成し、広告主が直観的に全ての広告設定が可能となるようにすることが望ましい。しかしながら、本発明は、これに特に限られるものではなく、ツリー状に構成された設定画面が提示されることもあると留意されたい。
【００５８】
Ｓ５２０段階で設定された広告登録設定情報によって広告順位が維持されているか否かを調査する(Ｓ５３０)。よく知られている通りに、検索サイトの検索結果画面の初ページに表示される広告個数は限られているから、初ページに広告が表示されることが極めて大事である。したがって、初ページに広告が表示されるべく、希望の順位内に広告が位置づけられているか否かを調査することが必要となる。
【００５９】
Ｓ５３０段階において、広告順位が維持されていない場合、広告主端末機１３０に広告順位の変動を通知する(Ｓ５４０)。
【００６０】
広告主端末機１３０から広告順位の維持要請がある場合、Ｓ５２０段階から再スタートする(Ｓ５５０)。
【００６１】
ここで、Ｓ５２０段階で、広告主端末機１３０から広告に費やす費用、広告が表示される順位の指定を受信したにもかかわらず、Ｓ５５０段階をさらに付け加えるのは、必要によって広告主の予算より高コストが掛かり、負担となる状況下でも広告を特定順位に維持しようとする場合(例えば、競争社より優先順位を必ず占めたい場合や、競争社の広告が初ページに位置づけられないように有利な広告位置を占めたい場合など)が生じるのに備えるためである。
【００６２】
管理段階Ｓ６００は、広告主端末機１３０がサービスサーバ１５０から特定キーワードに関連した広告効果結果を提供される段階である。
【００６３】
図８を参照とし、管理段階Ｓ６００について詳述する。
サービスサーバ１５０は、広告主端末機１３０から広告効果提供の要請があるか否かを調査する(Ｓ６１０)。
【００６４】
もし、広告効果提供の要請がある場合、広告主端末機１３０に広告効果資料を提供する(Ｓ６２０)。この際、提供される広告効果資料とは、ＣＴＲ(Ｃｌｉｃｋ  Ｔｈｒｏｕｇｈ  Ｒａｔｅ、検索ページに広告内容が表示された数に対するクリック数の比率)資料、ＣＴＲの高い同一キーワードのサイトの広告広報文などが表示され得る。
【００６５】
このような広告効果資料を基に広告主は広告広報文に修正を加えたり、特定キーワードに対する広告を放棄したりするなど、広告の順位を高めるのに役立つ。
【００６６】
以下、上述したような広告現況提供方法、広告代行方法及び広告代行システムの適用例について述べる。
本適用例は、サービスサーバ１５０が複数の検索サイトサーバ１１０のデータベース１１２にＡＰＩを通じた接続権限を取得したものと仮定する。
【００６７】
先ず、広告主は、広告主端末機１３０を介してサービスサーバ１５０に接続する。サービスサーバ１５０から提供するホームページのキーワード入力窓に広告主端末機１３０を介して広告しようとする特定キーワード「貸出」を入力する。
【００６８】
サービスサーバ１５０は、入力された特定キーワード「貸出」に対して、サービスサーバ１５０のデータベース１７０から資料を抽出して結果画面を提供する。この時、提供される結果画面は、サービスサーバ１５０で検索ロボットを用いて収集したデータであって、現在のリアルタイム広告現況は含まれていない。
【００６９】
前記広告主が、従来資料を確認したうえで広告主端末機１３０を介してリアルタイム資料を確認しようとすると、サービスサーバ１５０は、入力された特定キーワードに対するリアルタイム広告資料を収集して広告主端末機１３０に提供する。
【００７０】
広告主端末機１３０において、特定検索サイトに特定キーワードを介した広告を行いたい場合、広告主端末機１３０を介して支払い可能な広告費用の範囲、広告露出を希望する時間帯、広告順位などの広告登録設定情報を入力すると、サービスサーバ１５０は、広告主端末機１３０の広告登録設定情報に応じて検索サイトサーバのデータベースにＡＰＩを通じた接続を行った後、広告を代行登録する。
【００７１】
もし、他の広告主端末機１３０を介して、サービスサーバ１５０と契約を交わした広告主端末機の広告設定が変わることになる広告が受け付けられる場合、サービスサーバ１５０は、これを広告主端末機１３０に通知するようになり、次いで広告主端末機１３０は、必要によって必要な広告登録設定情報を修正する。
【００７２】
以上の段階を通じて、広告主は、広告主端末機１３０をサービスサーバ１５０に連結するだけで複数の検索サイトに複数のキーワードを使用する広告現況を確認することができ、且つ、複数の検索サイトに広告を掲載し得るばかりでなく、設定された広告内容に変更がある場合にも速やかな対応が可能となるから、容易に広告を行うことができる。
【００７３】
前述したように本発明の実施例を添付図面に基づいて詳述した。しかしながら、本発明は、前述した実施例に特に限定されるものではなく、必要に応じて、当業者により、添付の請求範囲の精神と思想内で様々な修正及び変更が可能であるという点に留意されたい。
【図面の簡単な説明】
【００７４】
【図１】従来技術による広告現況提供又は広告登録システムの概略図。
【図２】本発明の望ましい一実施例による広告代行システムの構成図。
【図３Ａ−Ｂ】本発明の一実施例によるサービスサーバのデータベース構成図。
【図４】本発明の他の望ましい一実施例による広告現況提供及び広告代行方法を示すフローチャート。
【図５】図４における資料収集段階のフローチャート。
【図６】図４における資料提供段階のフローチャート。
【図７】図４における広告登録段階のフローチャート。
【図８】図４における管理段階のフローチャート。
【符号の説明】
【００７５】
１０  従来広告登録システム
２０  検索サイトサーバ
２２  検索サイト側ＤＢ
３０  インターネット
４０  広告主端末機
１００  広告代行システム
１１０  検索サイトサーバ
１１２  データベース
１２０  インターネット
１３０  広告主端末機
１５０  サービスサーバ
１６０  データベース
１６１  検索サイト識別コード
１６２  キーワード識別コード
１６３  広告形態識別コード
１６４  広告時間識別コード
１６５  クリック数識別コード
１６６  ＣＰＣ情報識別コード
１７０  データベース
１７１  検索サイト識別コード
１７２  キーワード識別コード
１７３  類似キーワード連結コード
１７４  サイト名識別コード
１７５  広報文識別コード
１７６  広告現況識別コード
１７７  ＡＰＩ接続コード
【図１】
2008140365.tif 000003
【図２】
2008140365.tif 000004
【図３Ａ−Ｂ】
2008140365.tif 000005
【図４】
2008140365.tif 000006
【図５】
2008140365.tif 000007
【図６】
2008140365.tif 000008
【図７】
2008140365.tif 000009
【図８】
2008140365.tif 000010